(57)【要約】  放熱部材（２６）は、左光源（２５１ａ）と上左光源（２５３ａ）の動作により生じる熱を放散する。放熱部材（２６）は、中空部（２６８）を区画する壁部（２６７）を有している。左光源（２５１ａ）と上左光源（２５３ａ）は、壁部（２６７）を挟んで中空部（２６８）と対向する位置に配置されている。左光源（２５１ａ）と上左光源（２５３ａ）は、それぞれ前後方向と交差する方向に光を出射する。放熱部材（２６）に装着される単一のリフレクタ部材は、左光源（２５１ａ）から出射された光を所定の方向に反射する反射面と、上左光源（２５３ａ）から出射された光を所定の方向に反射する反射面とを含んでいる。
2017188066.tif 000002
【特許請求の範囲】
【請求項１】
車両に搭載される照明装置であって、
第一光源と、
第二光源と、
中空部を区画する壁を有し、前記第一光源と前記第二光源の動作により生じる熱を放散する放熱部材と、
前記放熱部材に装着されている単一のリフレクタ部材と、
を備えており、
前記第一光源と前記第二光源は、それぞれ前記壁を挟んで前記中空部と対向する位置に配置されており、
前記第一光源と前記第二光源は、それぞれ前後方向と交差する方向に光を出射し、
前記リフレクタ部材は、
前記第一光源から出射された光を所定の方向に反射する第一反射面と、
前記第二光源から出射された光を所定の方向に反射する第二反射面と、
を含んでいる、
照明装置。
【請求項２】
前記第一光源と電気的に接続されている第一導線と、
前記第二光源と電気的に接続されている第二導線と、
を備えており、
前記第一導線と前記第二導線は、前記リフレクタ部材の後方に配置されている、
請求項１に記載の照明装置。
【請求項３】
前記第一光源と電気的に接続されている第一導線と、
前記第二光源と電気的に接続されている第二導線と、
を備えており、
前記第一導線と前記第二導線は、前記中空部内を延びている、
請求項１に記載の照明装置。
【請求項４】
前記第一光源と前記第二光源から出射された光を通過させる透光カバーを備えており、
前記透光カバーは、前記リフレクタ部材に装着されている、
請求項３に記載の照明装置。
【請求項５】
前記壁を挟んで前記中空部と対向する位置に配置されている第三光源を備えており、
前記第三光源は、前記前後方向と交差する向きに光を出射する、
請求項１から４のいずれか一項に記載の照明装置。
【請求項６】
前記第一光源は、第一領域を照明するための光を出射し、
前記第二光源は、前記第一領域と異なる第二領域を照明するための光を出射する、
請求項１から５のいずれか一項に記載の照明装置。
【請求項７】
車両に搭載される照明装置であって、
第一光源と、
前記第一光源から出射された光を所定の方向へ反射する第一反射面と、
前記第一反射面の前方で前記第一光源と電気的に接続されている第一導線と、
第二光源と、
前記第二光源から出射された光を所定の方向へ反射する第二反射面と、
前記第二反射面の前方で前記第二光源と電気的に接続されている第二導線と、
前記第一導線と前記第二導線を少なくとも前方から覆っている不透明カバーと、
を備えている、
照明装置。
【請求項８】
前記第一光源と電気的に接続された第一コネクタと、
前記第二光源と電気的に接続された第二コネクタと、
を備えており、
前記第一導線は、前方から前記第一コネクタに接続されており、
前記第二導線は、前方から前記第二コネクタに接続されており、
前記不透明カバーは、前記第一コネクタと前記第二コネクタを少なくとも前方から覆っている、
請求項７に記載の照明装置。
【請求項９】
前記第一反射面、前記第二反射面、および前記不透明カバーは、単一のリフレクタ部材の一部である、
請求項７または８に記載の照明装置。
【発明の詳細な説明】
【技術分野】
【０００１】
本発明は、車両に搭載される照明装置に関する。
【背景技術】
【０００２】
特許文献１は、この種の照明装置の一例である二輪車用前照灯を開示している。当該前照灯は、複数の光源と放熱部材を備えている。放熱部材は、各光源から生じる熱を放散する。複数の光源と放熱部材は、ハウジングと透光カバーによって区画される灯室内に収容されている。透光カバーは、レンズ機能を有する部分を有している。各光源から出射された光は、当該レンズ機能を有する部分を通過することにより所定の向きに進行し、当該前照灯の前方を所定の配光パターンで照明する。
【先行技術文献】
【特許文献】
【０００３】
【特許文献１】日本国特許公開２０１５−１３７０３１号公報
【発明の概要】
【発明が解決しようとする課題】
【０００４】
複数の光源と放熱部材を備える照明装置の大型化を抑制することが求められている。
【課題を解決するための手段】
【０００５】
上記の要求に応えるための第一態様は、車両に搭載される照明装置であって、
第一光源と、
第二光源と、
中空部を区画する壁を有し、前記第一光源と前記第二光源の動作により生じる熱を放散する放熱部材と、
前記放熱部材に装着されている単一のリフレクタ部材と、
を備えており、
前記第一光源と前記第二光源は、それぞれ前記壁を挟んで前記中空部と対向する位置に配置されており、
前記第一光源と前記第二光源は、それぞれ前後方向と交差する方向に光を出射し、
前記リフレクタ部材は、
前記第一光源から出射された光を所定の方向に反射する第一反射面と、
前記第二光源から出射された光を所定の方向に反射する第二反射面と、
を含んでいる。【０００６】
上記のような構成によれば、第一光源から出射された光をリフレクタ部材の第一反射面で反射し、第二光源から出射された光をリフレクタ部材の第二反射面で反射する。比較的レイアウト自由度の高い照明装置の前後方向と交差する向きに広がる空間を効率よく利用できるため、光源から前方に出射された光を透光カバーに形成されたレンズ部によって配光制御する特許文献１のような構成と比較すると、照明装置の前後方向の大型化を抑制しやすい。【０００７】
また、第一光源と第二光源が表面積の大きい放熱部材の中空部と対向する位置に配置されているため、第一光源と第二光源の動作により生じる熱を効率的に放散できる。したがって、所望の放熱性能を得るために必要な放熱部材の体積を小さくでき、照明装置の大型化を抑制できる。【０００８】
さらに、第一反射面と第二反射面は、単一のリフレクタ部材の一部であるため、放熱部材への装着に係る工数を最小限にできる。【０００９】
上記の照明装置は、以下のように構成されうる。
前記第一光源と電気的に接続されている第一導線と、
前記第二光源と電気的に接続されている第二導線と、
を備えており、
前記第一導線と前記第二導線は、前記リフレクタ部材の後方に配置されている。【００１０】
このような構成によれば、放熱部材に装着されるリフレクタ部材に第一導線と第二導線を覆い隠す機能を担わせることができる。これにより、部品点数が削減され、複数の光源と放熱部材を備える照明装置の大型化を抑制できる。【００１１】
あるいは、上記の照明装置は、以下のように構成されうる。
前記第一光源と電気的に接続されている第一導線と、
前記第二光源と電気的に接続されている第二導線と、
を備えており、
前記第一導線と前記第二導線は、前記中空部内を延びている。【００１２】
すなわち、放熱性を向上させるために形成された中空部が、第一導線と第二導線の配策スペースとして利用される。これにより、空間の利用効率が向上し、複数の光源と放熱部材を備える照明装置の大型化を抑制できる。【００１３】
この場合、上記の照明装置は、以下のように構成されうる。
前記第一光源と前記第二光源から出射された光を通過させる透光カバーを備えており、
前記透光カバーは、前記リフレクタ部材に装着されている。【００１４】
このような構成によれば、灯室を区画するハウジングとしての機能をリフレクタ部材に担わせることができる。リフレクタ部材の姿勢を調節する機構は、必要に応じてリフレクタ部材の外側に設ければよい。したがって、複数の光源と放熱部材を備える照明装置の大型化をさらに抑制できる。【００１５】
上記の照明装置は、以下のように構成されうる。
前記壁を挟んで前記中空部と対向する位置に配置されている第三光源を備えており、
前記第三光源は、前記前後方向と交差する向きに光を出射する。【００１６】
このような構成によれば、三つ以上の光源を高い空間利用効率で配置できる。よって、複数の光源と放熱部材を備える照明装置の大型化を抑制できる。【００１７】
上記の照明装置は、以下のように構成されうる。
前記第一光源は、第一領域を照明するための光を出射し、
前記第二光源は、前記第一領域と異なる第二領域を照明するための光を出射する。【００１８】
このような構成によれば、異なる領域を照明するための複数の光源を高い空間利用効率で配置でき、複数の光源と放熱部材を備える照明装置の大型化を抑制可能である。【００１９】
上記の要求に応えるための第二態様は、車両に搭載される照明装置であって、
第一光源と、
前記第一光源から出射された光を所定の方向へ反射する第一反射面と、
前記第一反射面の前方で前記第一光源と電気的に接続されている第一導線と、
第二光源と、
前記第二光源から出射された光を所定の方向へ反射する第二反射面と、
前記第二反射面の前方で前記第二光源と電気的に接続されている第二導線と、
前記第一導線と前記第二導線を少なくとも前方から覆っている不透明カバーと、
を備えている。【００２０】
反射光の進行を阻害しないように留意すれば、第一反射面と第二反射面の前方には比較的高い空間的余裕が存在する。このような空間を積極的に利用して光源との電気的接続を行なうことにより、反射面の後方において光源との電気的接続が行なわれている構成と比較すると、複数の光源を備える照明装置の大型化を特に前後方向について抑制できる。【００２１】
他方、第一導線と第二導線は、不透明カバーによって少なくとも前方から覆われている。したがって、第一反射面と第二反射面の前方に光源との電気的接続部を配置しても、これが前方から視認されることを回避できる。したがって、商品価値の低下を回避しつつ、複数の光源を備える照明装置の大型化を抑制できる。【００２２】
上記の照明装置は、以下のように構成されうる。
前記第一光源と電気的に接続された第一コネクタと、
前記第二光源と電気的に接続された第二コネクタと、
を備えており、
前記第一導線は、前方から前記第一コネクタに接続されており、
前記第二導線は、前方から前記第二コネクタに接続されており、
前記不透明カバーは、前記第一コネクタと前記第二コネクタを少なくとも前方から覆っている。【００２３】
このような構成によれば、照明装置を組み立てる際に行なわれる第一導線と第二導線の接続作業を効率化できる。他方、第一コネクタと第二コネクタは、不透明カバーによって少なくとも前方から覆われている。したがって、第一反射面と第二反射面の前方に第一コネクタと第二コネクタを配置しても、これらが前方から視認されることを回避できる。したがって、商品価値の低下を回避しつつ、複数の光源を備える照明装置の組立て作業性を向上できる。【００２４】
上記の照明装置は、以下のように構成されうる。
前記第一反射面、前記第二反射面、および前記不透明カバーは、単一のリフレクタ部材の一部である。【００２５】
このような構成によれば、光源との電気的接続部を覆い隠す機能をリフレクタ部材に担わせることができる。これにより、部品点数が削減され、複数の光源を備える照明装置の大型化を抑制できる。
【図面の簡単な説明】
【００２６】
【図１】第一実施形態に係る前照灯を示す斜視図である。
【図２】図１の前照灯の一部を示す正面図である。
【図３】図１の前照灯の一部を示す斜視図である。
【図４】図１の前照灯の一部を示す斜視図である。
【図５】図１の前照灯の一部を示す斜視図である。
【図６】図１の前照灯の一部を示す斜視図である。
【図７】図１の前照灯における放熱部材を示す斜視図である。
【図８】図１の前照灯における放熱部材を示す斜視図である。
【図９】図１の前照灯の一部を示す断面図である。
【図１０】図１の前照灯の一部を示す斜視図である。
【図１１】第二実施形態に係る前照灯を示す斜視図である。
【図１２】図１１の前照灯の一部を示す正面図である。
【図１３】図１１の前照灯の一部を示す斜視図である。
【図１４】図１１の前照灯の一部を示す斜視図である。
【図１５】図１１の前照灯の一部を示す斜視図である。
【図１６】図１１の前照灯の一部を示す斜視図である。
【図１７】図１１の前照灯における放熱部材を示す斜視図である。
【図１８】図１１の前照灯における放熱部材を示す斜視図である。
【図１９】図１１の前照灯の一部を示す断面図である。
【図２０】図１１の前照灯の一部を示す斜視図である。
【図２１】図１１の前照灯が備えうる調整機構を示す斜視図である。
【発明を実施するための形態】
【００２７】
添付の図面を参照しつつ、実施形態の例について以下詳細に説明する。以下の説明に用いる各図面では、各部材を認識可能な大きさとするために縮尺を適宜変更している。
【００２８】
添付の図面において、矢印Ｆは、図示された構造の前方向を示している。矢印Ｂは、図示された構造の後方向を示している。矢印Ｕは、図示された構造の上方向を示している。矢印Ｄは、図示された構造の下方向を示している。矢印Ｒは、図示された構造の右方向を示している。矢印Ｌは、図示された構造の左方向を示している。以降の説明に用いる「右」および「左」は、運転席から見た左右の方向を示している。
【００２９】
図１は、第一実施形態に係る前照灯２０（照明装置の一例）を左前上方から見た外観を示している。前照灯２０は、車両の前部に搭載される。前照灯２０は、ハウジング２１と透光カバー２２を備えている。
【００３０】
図２は、図１に示した状態から透光カバー２２を取り外した前照灯２０の外観を示す正面図である。透光カバー２２は、ハウジング２１に装着されて灯室２３を区画している。前照灯２０は、リフレクタ部材２４を備えている。リフレクタ部材２４は、灯室２３内に収容されている。
【００３１】
図３は、図２に示された状態の前照灯２０を左前上方から見た外観を示している。図４は、同状態の前照灯２０を右前下方から見た外観を示している。
【００３２】
リフレクタ部材２４は、樹脂などからなる一体成型品である。リフレクタ部材２４は、左反射面２４１（第一反射面の一例）、右反射面２４２（第二反射面の一例）、上左反射面２４３、下左反射面２４４、上右反射面２４５、下右反射面２４６、不透明カバー部２４７を含んでいる。
【００３３】
図５は、図３に示された状態からリフレクタ部材２４を取り外した前照灯２０を左前上方から見た外観を示している。図６は、図４に示された状態からリフレクタ部材２４を取り外した前照灯２０を右前下方から見た外観を示している。
【００３４】
前照灯２０は、左光源ユニット２５１、右光源ユニット２５２、上左光源ユニット２５３、下左光源ユニット２５４、上右光源ユニット２５５、および下右光源ユニット２５６を備えている。
【００３５】
左光源ユニット２５１は、左光源２５１ａ（第一光源の一例）、左回路基板２５１ｂ、左コネクタ２５１ｃを備えている。左回路基板２５１ｂは、左光源２５１ａと左コネクタ２５１ｃを支持している。左回路基板２５１ｂは、左光源２５１ａと左コネクタ２５１ｃを電気的に接続する回路を備えている。
【００３６】
右光源ユニット２５２は、右光源２５２ａ（第二光源の一例）、右回路基板２５２ｂ、右コネクタ２５２ｃを備えている。右回路基板２５２ｂは、右光源２５２ａと右コネクタ２５２ｃを支持している。右回路基板２５２ｂは、右光源２５２ａと右コネクタ２５２ｃを電気的に接続する回路を備えている。
【００３７】
上左光源ユニット２５３は、上左光源２５３ａ、上左回路基板２５３ｂ、上左コネクタ２５３ｃを備えている。上左回路基板２５３ｂは、上左光源２５３ａと上左コネクタ２５３ｃを支持している。上左回路基板２５３ｂは、上左光源２５３ａと上左コネクタ２５３ｃを電気的に接続する回路を備えている。
【００３８】
下左光源ユニット２５４は、下左光源２５４ａ、下左回路基板２５４ｂ、下左コネクタ２５４ｃを備えている。下左回路基板２５４ｂは、下左光源２５４ａと下左コネクタ２５４ｃを支持している。下左回路基板２５４ｂは、下左光源２５４ａと下左コネクタ２５４ｃを電気的に接続する回路を備えている。
【００３９】
上右光源ユニット２５５は、上右光源２５５ａ、上右回路基板２５５ｂ、上右コネクタ２５５ｃを備えている。上右回路基板２５５ｂは、上右光源２５５ａと上右コネクタ２５５ｃを支持している。上右回路基板２５５ｂは、上右光源２５５ａと上右コネクタ２５５ｃを電気的に接続する回路を備えている。
【００４０】
下右光源ユニット２５６は、下右光源２５６ａ、下右回路基板２５６ｂ、下右コネクタ２５６ｃを備えている。下右回路基板２５６ｂは、下右光源２５６ａと下右コネクタ２５６ｃを支持している。下右回路基板２５６ｂは、下右光源２５６ａと下右コネクタ２５６ｃを電気的に接続する回路を備えている。
【００４１】
左光源２５１ａ、右光源２５２ａ、上左光源２５３ａ、下左光源２５４ａ、上右光源２５５ａ、および下右光源２５６ａは、所定の波長を含む光を出射する半導体発光素子である。半導体発光素子の例としては、発光ダイオード（ＬＥＤ）、レーザダイオード（ＬＤ）、有機ＥＬ素子などが挙げられる。
【００４２】
前照灯２０は、放熱部材２６を備えている。放熱部材２６は、金属などの熱伝導性が比較的高い材料により成形されている。図７は、放熱部材２６を左前上方から見た外観を示している。図８は、放熱部材２６を右前下方から見た外観を示している。
【００４３】
放熱部材２６は、左支持面２６１、右支持面２６２、上左支持面２６３、下左支持面２６４、上右支持面２６５、および下右支持面２６６を備えている。
【００４４】
左支持面２６１は、左方を向いている平坦面である。上左支持面２６３は、左上方を向いている平坦面である。上左支持面２６３は、左支持面２６１よりも右方かつ上方に位置している。下左支持面２６４は、左下方を向いている平坦面である。下左支持面２６４は、左支持面２６１よりも右方かつ下方に位置している。
【００４５】
右支持面２６２は、右方を向いている平坦面である。上右支持面２６５は、右上方を向いている平坦面である。上右支持面２６５は、右支持面２６２よりも左方かつ上方に位置している。下右支持面２６６は、右下方を向いている平坦面である。下右支持面２６６は、右支持面２６２よりも左方かつ下方に位置している。
【００４６】
放熱部材２６は、壁部２６７を備えている。壁部２６７は、有底の中空部２６８を区画している。中空部２６８は、前方に開口している。左支持面２６１、右支持面２６２、上左支持面２６３、上右支持面２６５、下左支持面２６４、および下右支持面２６６は、壁部２６７の一部である。
【００４７】
図５と図７から明らかなように、左支持面２６１は、左回路基板２５１ｂを支持している。上左支持面２６３は、上左回路基板２５３ｂを支持している。上右支持面２６５は、上右回路基板２５５ｂを支持している。
【００４８】
図６と図８から明らかなように、右支持面２６２は、右回路基板２５２ｂを支持している。下左支持面２６４は、下左回路基板２５４ｂを支持している。下右支持面２６６は、下右回路基板２５６ｂを支持している。
【００４９】
したがって、放熱部材２６は、左光源２５１ａ、右光源２５２ａ、上左光源２５３ａ、下左光源２５４ａ、上右光源２５５ａ、および下右光源２５６ａの動作により生じる熱を放散するように構成されている。
【００５０】
左光源２５１ａ、右光源２５２ａ、上左光源２５３ａ、下左光源２５４ａ、上右光源２５５ａ、および下右光源２５６ａは、放熱部材２６の壁部２６７を挟んで中空部２６８と対向する位置に配置されている。
【００５１】
図９は、図２における線Ｖ２‐Ｖ２に沿う前照灯２０の断面を矢印方向から見た構成を示している。なお、透光カバー２２も図示に含まれている。図１０は、前照灯２０を左後上方から見た外観を示している。
【００５２】
放熱部材２６の大部分は、灯室２３内に収容されている。放熱部材２６の後端部２６９は、ハウジング２１の後部に形成された第一開口２１１を通じて前照灯２０の外側に露出している。
【００５３】
前照灯２０は、第一封止部材２７１を備えている。第一封止部材２７１は、弾性変形可能な材料により形成されている。第一封止部材２７１は、ハウジング２１の第一開口２１１と放熱部材２６の後端部２６９の間の隙間を封止している。第一封止部材２７１の例としては、Ｏリングやガスケットが挙げられる。
【００５４】
前照灯１０は、第二封止部材２７２を備えている。第二封止部材２７２は、弾性変形可能な材料により形成されている。第二封止部材２７２は、ハウジング２１の後部に形成された第二開口２１２に嵌入されている。第二開口２１２は、第二封止部材２７２により封止されている。
【００５５】
前照灯２０は、複数の導線２８を備えている。複数の導線２８は、第二封止部材２７２に形成された複数の貫通穴を通じて前照灯２０の外側へ引き出されている。複数の導線２８は、図示しない車両側の制御部と電気的に接続される。
【００５６】
図５と図６に示されるように、複数の導線２８は、左光源ユニット２５１の左コネクタ２５１ｃ、右光源ユニット２５２の右コネクタ２５２ｃ、上左光源ユニット２５３の上左コネクタ２５３ｃ、下左光源ユニット２５４の下左コネクタ２５４ｃ、上右光源ユニット２５５の上右コネクタ２５５ｃ、および下右光源ユニット２５６の下右コネクタ２５６ｃの各々と接続されている。
【００５７】
すなわち、複数の導線２８は、左光源２５１ａと電気的に接続された導線（第一導線の一例）、右光源２５２ａと電気的に接続された導線（第二導線の一例）、上左光源２５３ａと電気的に接続された導線、下左光源２５４ａと電気的に接続された導線、上右光源２５５ａと電気的に接続された導線、および下右光源２５６ａと電気的に接続された導線を含んでいる。
【００５８】
図９に示されるように、リフレクタ部材２４は、放熱部材２６に装着されている。
【００５９】
図３と図５から明らかなように、リフレクタ部材２４の不透明カバー部２４７は、左回路基板２５１ｂの少なくとも前端、上左回路基板２５３ｂの少なくとも前端、および上右回路基板２５５ｂの少なくとも前端を覆っている。
【００６０】
リフレクタ部材２４の左反射面２４１、上左反射面２４３、および上右反射面２４５は、それぞれ左コネクタ２５１ｃ、上左コネクタ２５３ｃ、および上右コネクタ２５５ｃを少なくとも前方から覆っている。また、リフレクタ部材２４の左反射面２４１、上左反射面２４３、および上右反射面２４５は、左コネクタ２５１ｃ、上左コネクタ２５３ｃ、および上右コネクタ２５５ｃに接続されている複数の導線２８を少なくとも前方から覆っている。
【００６１】
図４と図６から明らかなように、リフレクタ部材２４の不透明カバー部２４７は、右回路基板２５２ｂの少なくとも前端、下左回路基板２５４ｂの少なくとも前端、および下右回路基板２５６ｂの少なくとも前端を覆っている。
【００６２】
リフレクタ部材２４の右反射面２４２、下左反射面２４４、および下右反射面２４６は、それぞれ右コネクタ２５２ｃ、下左コネクタ２５４ｃ、および下右コネクタ２５６ｃを少なくとも前方から覆っている。また、リフレクタ部材２４の右反射面２４２、下左反射面２４４、および下右反射面２４６は、右コネクタ２５２ｃ、下左コネクタ２５４ｃ、および下右コネクタ２５６ｃに接続されている複数の導線２８を少なくとも前方から覆っている。
【００６３】
車両側の制御部から供給される電気エネルギー（電圧と電流の少なくとも一方であり、その値は経時的に変化してもよい）は、複数の導線２８を通じて左光源２５１ａ、右光源２５２ａ、上左光源２５３ａ、下左光源２５４ａ、上右光源２５５ａ、および下右光源２５６ａの各々に供給される。
【００６４】
図３と図５から明らかなように、左光源２５１ａに電気エネルギーが供給されると、左光源２５１ａは、左方（前後方向と交差する向きの一例）へ光を出射する。左光源２５１ａから出射された光は、リフレクタ部材２４の左反射面２４１により前方（所定の方向の一例）へ反射される。当該反射光は、透光カバー２２を通過して前照灯２０の前方を照明する。
【００６５】
同様に、上左光源２５３ａ（第三光源の一例）に電気エネルギーが供給されると、上左光源２５３ａは、左上方（前後方向と交差する向きの一例）へ光を出射する。上左光源２５３ａから出射された光は、リフレクタ部材２４の上左反射面２４３により前方へ反射される。当該反射光は、透光カバー２２を通過して前照灯２０の前方を照明する。
【００６６】
同様に、上右光源２５５ａ（第三光源の一例）に電気エネルギーが供給されると、上右光源２５５ａは、右上方（前後方向と交差する向きの一例）へ光を出射する。上右光源２５５ａから出射された光は、リフレクタ部材２４の上右反射面２４５により前方へ反射される。当該反射光は、透光カバー２２を通過して前照灯２０の前方を照明する。
【００６７】
図４と図６から明らかなように、右光源２５２ａに電気エネルギーが供給されると、右光源２５２ａは、右方（前後方向と交差する向きの一例）へ光を出射する。右光源２５２ａから出射された光は、リフレクタ部材２４の右反射面２４２により前方（所定の方向の一例）へ反射される。当該反射光は、透光カバー２２を通過して前照灯２０の前方を照明する。
【００６８】
同様に、下左光源２５４ａ（第三光源の一例）に電気エネルギーが供給されると、下左光源２５４ａは、左下方（前後方向と交差する向きの一例）へ光を出射する。下左光源２５４ａから出射された光は、リフレクタ部材２４の下左反射面２４４により前方へ反射される。当該反射光は、透光カバー２２を通過して前照灯２０の前方を照明する。
【００６９】
同様に、下右光源２５６ａ（第三光源の一例）に電気エネルギーが供給されると、下右光源２５６ａは、右下方（前後方向と交差する向きの一例）へ光を出射する。下右光源２５６ａから出射された光は、リフレクタ部材２４の下右反射面２４６により前上方へ反射される。当該反射光は、透光カバー２２を通過して前照灯２０の前方を照明する。
【００７０】
前述のように、本実施形態に係る前照灯２０は、リフレクタ部材２４、左光源２５１ａ、右光源２５２ａ、および放熱部材２６を備えている。放熱部材２６は、中空部２６８を区画する壁部２６７を有している。放熱部材２６は、左光源２５１ａと右光源２５２ａの動作により生じる熱を放散する。リフレクタ部材２４は、放熱部材２６に装着されている。左光源２５１ａと右光源２５２ａは、それぞれ壁部２６７を挟んで中空部２６８と対向する位置に配置されている。左光源２５１ａと右光源２５２ａは、それぞれ前照灯２０の前後方向と交差する向きに光を出射する。リフレクタ部材２４は一体成型品であり、左反射面２４１と右反射面２４２を含んでいる。左反射面２４１は、左光源２５１ａから出射された光を所定の方向に反射する。右反射面２４２は、右光源２５２ａから出射された光を所定の方向に反射する。
【００７１】
上記の構成によれば、左光源２５１ａから出射された光をリフレクタ部材２４の左反射面２４１で反射し、右光源２５２ａから出射された光をリフレクタ部材２４の右反射面２４２で反射する。比較的レイアウト自由度の高い前照灯２０の前後方向と交差する向きに広がる空間を効率よく利用できるため、光源から前方に出射された光を透光カバーに形成されたレンズ部によって配光制御する特許文献１のような構成と比較すると、前後方向の大型化を抑制しやすい。
【００７２】
また、左光源２５１ａと右光源２５２ａが表面積の大きい放熱部材２６の中空部２６８と対向する位置に配置されているため、左光源２５１ａと右光源２５２ａの動作により生じる熱を効率的に放散できる。したがって、所望の放熱性能を得るために必要な放熱部材２６の体積を小さくでき、前照灯２０の大型化を抑制できる。
【００７３】
さらに、左反射面２４１と右反射面２４２は、単一のリフレクタ部材２４の一部であるため、放熱部材２６への装着に係る工数を最小限にできる。
【００７４】
本実施形態においては、前照灯２０は、左光源２５１ａおよび右光源２５２ａと電気的に接続された複数の導線２８を備えている。複数の導線２８は、リフレクタ部材２４の後方に配置されている。
【００７５】
このような構成によれば、放熱部材２６に装着されるリフレクタ部材２４に複数の導線２８を覆い隠す機能を担わせることができる。これにより、部品点数が削減されて前照灯２０の大型化を抑制できる。
【００７６】
以上の説明は、前照灯２０が備える他の光源についても同様に適用できる。
【００７７】
本実施形態においては、左光源２５１ａ、右光源２５２ａ、上左光源２５３ａ、下左光源２５４ａ、上右光源２５５ａ、および下右光源２５６ａは、前照灯２０の前後方向と交差する向きに光を出射する。
【００７８】
このような構成によれば、三つ以上の光源を高い空間利用効率で配置できる。よって、前照灯２０の大型化を抑制できる。
【００７９】
上記の実施形態は、本開示の理解を容易にするための例示にすぎない。上記の実施形態に係る構成は、本開示の趣旨を逸脱しなければ、適宜に変更・改良されうる。
【００８０】
第一実施形態においては、放熱部材２６に装着された単一のリフレクタ部材２４が、上左反射面２４１、右反射面２４２、上左反射面２４３、下左反射面２４４、上右反射面２４５、および下右反射面２４６を備えている。しかしながら、リフレクタ部材２４が複数のサブユニットを一体化することにより形成されており、各サブユニットが放熱部材２６の壁部２６７を挟んで中空部２６８に対向する位置に配置された複数の光源から出射された光を反射する複数の反射面を有している構成が採用されうる。
【００８１】
第一実施形態においては、複数の導線２８が、左コネクタ２５１ｃ、右コネクタ２５２ｃ、上左コネクタ２５３ｃ、下左コネクタ２５４ｃ、上右コネクタ２５５ｃ、および下右コネクタ２５６ｃを介して、それぞれ左光源２５１ａ、右光源２５２ａ、上左光源２５３ａ、下左光源２５４ａ、上右光源２５５ａ、および下右光源２５６ａと電気的に接続されている。しかしながら、複数の導線２８は、接点へのはんだ付けなどにより、コネクタを介することなく各光源と電気的に接続されうる。
【００８２】
第一実施形態においては、左光源２５１ａ、右光源２５２ａ、上左光源２５３ａ、下左光源２５４ａ、上右光源２５５ａ、および下右光源２５６ａがともに前方を照明するようにリフレクタ部材２４の左反射面２４１、右反射面２４２、上左反射面２４３、下左反射面２４４、上右反射面２４５、および下右反射面２４６が構成されている。しかしながら、各光源が照明する領域は、前照灯の仕様に応じて適宜に定められうる。例えば、リフレクタ部材２４の左反射面２４１と右反射面２４２は、左光源２５１ａと右光源２５２ａが前照灯２０の前方における異なる領域を照明するように構成されうる。
【００８３】
第一実施形態においては、照明装置の一例として前照灯２０を例示した。しかしながら、本発明は、車両に搭載されるように構成され、複数の光源と放熱部材を備える各種の照明装置に適用可能である。前照灯２０の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【００８４】
図１１は、第二実施形態に係る前照灯３０（照明装置の一例）を左前上方から見た外観を示している。前照灯３０は、車両の前部に搭載される。前照灯３０は、透光カバー３２とリフレクタ部材３４を備えている。
【００８５】
図１２は、図１１に示した状態から透光カバー３２を取り外した前照灯３０の外観を示す正面図である。透光カバー３２は、リフレクタ部材３４に装着されて灯室３３を区画している。
【００８６】
図１３は、図１２に示された状態の前照灯３０を左前上方から見た外観を示している。図１４は、同状態の前照灯３０を右前下方から見た外観を示している。
【００８７】
リフレクタ部材３４は、樹脂などからなる一体成型品である。リフレクタ部材３４は、左反射面３４１（第一反射面の一例）、右反射面３４２（第二反射面の一例）、上左反射面３４３、下左反射面３４４、上右反射面３４５、下右反射面３４６、不透明カバー部３４７を含んでいる。
【００８８】
図１５は、図１３に示された状態からリフレクタ部材３４を取り外した前照灯３０を左前上方から見た外観を示している。図１６は、図１４に示された状態からリフレクタ部材３４を取り外した前照灯３０を右前下方から見た外観を示している。
【００８９】
前照灯３０は、左光源ユニット３５１、右光源ユニット３５２、上左光源ユニット３５３、下左光源ユニット３５４、上右光源ユニット３５５、および下右光源ユニット３５６を備えている。
【００９０】
左光源ユニット３５１は、左光源３５１ａ（第一光源の一例）、左回路基板３５１ｂ、左コネクタ３５１ｃを備えている。左回路基板３５１ｂは、左光源３５１ａと左コネクタ３５１ｃを支持している。左回路基板３５１ｂは、左光源３５１ａと左コネクタ３５１ｃを電気的に接続する回路を備えている。
【００９１】
右光源ユニット３５２は、右光源３５２ａ（第二光源の一例）、右回路基板３５２ｂ、右コネクタ３５２ｃを備えている。右回路基板３５２ｂは、右光源３５２ａと右コネクタ３５２ｃを支持している。右回路基板３５２ｂは、右光源３５２ａと右コネクタ３５２ｃを電気的に接続する回路を備えている。
【００９２】
上左光源ユニット３５３は、上左光源３５３ａ、上左回路基板３５３ｂ、上左コネクタ３５３ｃを備えている。上左回路基板３５３ｂは、上左光源３５３ａと上左コネクタ３５３ｃを支持している。上左回路基板３５３ｂは、上左光源３５３ａと上左コネクタ３５３ｃを電気的に接続する回路を備えている。
【００９３】
下左光源ユニット３５４は、下左光源３５４ａ、下左回路基板３５４ｂ、下左コネクタ３５４ｃを備えている。下左回路基板３５４ｂは、下左光源３５４ａと下左コネクタ３５４ｃを支持している。下左回路基板３５４ｂは、下左光源３５４ａと下左コネクタ３５４ｃを電気的に接続する回路を備えている。
【００９４】
上右光源ユニット３５５は、上右光源３５５ａ、上右回路基板３５５ｂ、上右コネクタ３５５ｃを備えている。上右回路基板３５５ｂは、上右光源３５５ａと上右コネクタ３５５ｃを支持している。上右回路基板３５５ｂは、上右光源３５５ａと上右コネクタ３５５ｃを電気的に接続する回路を備えている。
【００９５】
下右光源ユニット３５６は、下右光源３５６ａ、下右回路基板３５６ｂ、下右コネクタ３５６ｃを備えている。下右回路基板３５６ｂは、下右光源３５６ａと下右コネクタ３５６ｃを支持している。下右回路基板３５６ｂは、下右光源３５６ａと下右コネクタ３５６ｃを電気的に接続する回路を備えている。
【００９６】
左光源３５１ａ、右光源３５２ａ、上左光源３５３ａ、下左光源３５４ａ、上右光源３５５ａ、および下右光源３５６ａは、所定の波長を含む光を出射する半導体発光素子である。半導体発光素子の例としては、発光ダイオード（ＬＥＤ）、レーザダイオード（ＬＤ）、有機ＥＬ素子などが挙げられる。
【００９７】
前照灯３０は、放熱部材３６を備えている。放熱部材３６は、金属などの熱伝導性が比較的高い材料により成形されている。図１７は、放熱部材３６を左前上方から見た外観を示している。図１８は、放熱部材３６を右前下方から見た外観を示している。
【００９８】
放熱部材３６は、左支持面３６１、右支持面３６２、上左支持面３６３、下左支持面３６４、上右支持面３６５、および下右支持面３６６を備えている。
【００９９】
左支持面３６１は、左方を向いている平坦面である。上左支持面３６３は、左上方を向いている平坦面である。上左支持面３６３は、左支持面３６１よりも右方かつ上方に位置している。下左支持面３６４は、左下方を向いている平坦面である。下左支持面３６４は、左支持面３６１よりも右方かつ下方に位置している。
【０１００】
右支持面３６２は、右方を向いている平坦面である。上右支持面３６５は、右上方を向いている平坦面である。上右支持面３６５は、右支持面３６２よりも左方かつ上方に位置している。下右支持面３６６は、右下方を向いている平坦面である。下右支持面３６６は、右支持面３６２よりも左方かつ下方に位置している。
【０１０１】
放熱部材３６は、壁部３６７を備えている。壁部３６７は、前後方向に開口する貫通穴である中空部３６８を区画している。左支持面３６１、右支持面３６２、上左支持面３６３、上右支持面３６５、下左支持面３６４、および下右支持面３６６は、壁部３６７の一部である。
【０１０２】
図１５と図１７から明らかなように、左支持面３６１は、左回路基板３５１ｂを支持している。上左支持面３６３は、上左回路基板３５３ｂを支持している。上右支持面３６５は、上右回路基板３５５ｂを支持している。
【０１０３】
図１６と図１８から明らかなように、右支持面３６２は、右回路基板３５２ｂを支持している。下左支持面３６４は、下左回路基板３５４ｂを支持している。下右支持面３６６は、下右回路基板３５６ｂを支持している。
【０１０４】
したがって、放熱部材３６は、左光源３５１ａ、右光源３５２ａ、上左光源３５３ａ、下左光源３５４ａ、上右光源３５５ａ、および下右光源３５６ａの動作により生じる熱を放散するように構成されている。
【０１０５】
左光源３５１ａ、右光源３５２ａ、上左光源３５３ａ、下左光源３５４ａ、上右光源３５５ａ、および下右光源３５６ａは、放熱部材３６の壁部３６７を挟んで中空部３６８と対向する位置に配置されている。
【０１０６】
左支持面３６１を形成する壁部３６７の一部は、左凹部３６１ａを有している。左凹部３６１ａは、前方に開口している。左回路基板３５１ｂが左支持面３６１に装着されると、左コネクタ３５１ｃは、左凹部３６１ａに受容される。左コネクタ３５１ｃは、中空部３６８内に配置される。
【０１０７】
右支持面３６２を形成する壁部３６７の一部は、右凹部３６２ａを有している。右凹部３６２ａは、前方に開口している。右回路基板３５２ｂが右支持面３６２に装着されると、右コネクタ３５２ｃは、右凹部３６２ａに受容される。右コネクタ３５２ｃは、中空部３６８内に配置される。
【０１０８】
上左支持面３６３を形成する壁部３６７の一部は、上左凹部３６３ａを有している。上左凹部３６３ａは、前方に開口している。上左回路基板３５３ｂが上左支持面３６３に装着されると、上左コネクタ３５３ｃは、上左凹部３６３ａに受容される。上左コネクタ３５３ｃは、中空部３６８内に配置される。
【０１０９】
下左支持面３６４を形成する壁部３６７の一部は、下左凹部３６４ａを有している。下左凹部３６４ａは、前方に開口している。下左回路基板３５４ｂが下左支持面３６４に装着されると、下左コネクタ３５４ｃは、下左凹部３６４ａに受容される。下左コネクタ３５４ｃは、中空部３６８内に配置される。
【０１１０】
上右支持面３６５を形成する壁部３６７の一部は、上右凹部３６５ａを有している。上右凹部３６５ａは、前方に開口している。上右回路基板３５５ｂが上右支持面３６５に装着されると、上右コネクタ３５５ｃは、上右凹部３６５ａに受容される。上右コネクタ３５５ｃは、中空部３６８内に配置される。
【０１１１】
下右支持面３６６を形成する壁部３６７の一部は、下右凹部３６６ａを有している。下右凹部３６６ａは、前方に開口している。下右回路基板３５６ｂが下右支持面３６６に装着されると、下右コネクタ３５６ｃは、下右凹部３６６ａに受容される。下右コネクタ３５６ｃは、中空部３６８内に配置される。
【０１１２】
図１９は、図１２における線Ｖ３‐Ｖ３に沿う前照灯３０の断面を矢印方向から見た構成を示している。なお、透光カバー３２も図示に含まれている。図２０は、前照灯３０を左後上方から見た外観を示している。
【０１１３】
放熱部材３６の大部分は、灯室３３内に収容されている。放熱部材３６の後端部３６９は、リフレクタ部材３４の後部に形成された開口３４８を通じて前照灯３０の外側に露出している。
【０１１４】
前照灯３０は、第一封止部材３７１を備えている。第一封止部材３７１は、弾性変形可能な材料により形成されている。第一封止部材３７１は、リフレクタ部材３４の開口３４８と放熱部材３６の後端部３６９の間の隙間を封止している。第一封止部材３７１の例としては、Ｏリングやガスケットが挙げられる。
【０１１５】
前照灯１０は、第二封止部材３７２を備えている。第二封止部材３７２は、弾性変形可能な材料により形成されている。第二封止部材３７２は、放熱部材３６の中空部３６８の後部に嵌入されている。中空部３６８の後部は、第二封止部材３７２により封止されている。
【０１１６】
前照灯３０は、複数の導線３８を備えている。複数の導線３８は、第二封止部材３７２に形成された複数の貫通穴を通じて前照灯３０の外側へ引き出されている。複数の導線３８は、図示しない車両側の制御部と電気的に接続される。
【０１１７】
図１５と図１６に示されるように、複数の導線３８は、放熱部材３６の中空部３６８内を延び、左光源ユニット３５１の左コネクタ３５１ｃ、右光源ユニット３５２の右コネクタ３５２ｃ、上左光源ユニット３５３の上左コネクタ３５３ｃ、下左光源ユニット３５４の下左コネクタ３５４ｃ、上右光源ユニット３５５の上右コネクタ３５５ｃ、および下右光源ユニット３５６の下右コネクタ３５６ｃの各々に前方から接続されている。
【０１１８】
すなわち、複数の導線３８は、左光源３５１ａと電気的に接続された導線（第一導線の一例）、右光源３５２ａと電気的に接続された導線（第二導線の一例）、上左光源３５３ａと電気的に接続された導線、下左光源３５４ａと電気的に接続された導線、上右光源３５５ａと電気的に接続された導線、および下右光源３５６ａと電気的に接続された導線を含んでいる。
【０１１９】
図１９に示されるように、リフレクタ部材３４は、放熱部材３６に装着されている。
【０１２０】
図１３と図１５から明らかなように、左コネクタ３５１ｃ、上左コネクタ３５３ｃ、および上右コネクタ３５５ｃは、それぞれリフレクタ部材３４の左反射面３４１、上左反射面３４３、および上右反射面３４５の前方に配置されている。
【０１２１】
リフレクタ部材３４の不透明カバー部３４７は、左回路基板３５１ｂの少なくとも前端、上左回路基板３５３ｂの少なくとも前端、および上右回路基板３５５ｂの少なくとも前端を覆っている。また、不透明カバー部３４７は、左コネクタ３５１ｃ、上左コネクタ３５３ｃ、上右コネクタ３５５ｃ、およびこれらに接続された複数の導線３８を少なくとも前方から覆っている。
【０１２２】
図１４と図１６から明らかなように、右コネクタ３５２ｃ、下左コネクタ３５４ｃ、および下右コネクタ３５６ｃは、それぞれリフレクタ部材３４の右反射面３４２、下左反射面３４４、および下右反射面３４６の前方に配置されている。
【０１２３】
リフレクタ部材３４の不透明カバー部３４７は、右回路基板３５２ｂの少なくとも前端、下左回路基板３５４ｂの少なくとも前端、および下右回路基板３５６ｂの少なくとも前端を覆っている。また、不透明カバー部３４７は、右コネクタ３５２ｃ、下左コネクタ３５４ｃ、下右コネクタ３５６ｃ、およびこれらに接続された複数の導線３８を少なくとも前方から覆っている。
【０１２４】
車両側の制御部から供給される電気エネルギー（電圧と電流の少なくとも一方であり、その値は経時的に変化してもよい）は、複数の導線３８を通じて左光源３５１ａ、右光源３５２ａ、上左光源３５３ａ、下左光源３５４ａ、上右光源３５５ａ、および下右光源３５６ａの各々に供給される。
【０１２５】
図１３と図１５から明らかなように、左光源３５１ａに電気エネルギーが供給されると、左光源３５１ａは、左方（前後方向と交差する向きの一例）へ光を出射する。左光源３５１ａから出射された光は、リフレクタ部材３４の左反射面３４１により前方（所定の方向の一例）へ反射される。当該反射光は、透光カバー３２を通過して前照灯３０の前方を照明する。
【０１２６】
同様に、上左光源３５３ａ（第三光源の一例）に電気エネルギーが供給されると、上左光源３５３ａは、左上方（前後方向と交差する向きの一例）へ光を出射する。上左光源３５３ａから出射された光は、リフレクタ部材３４の上左反射面３４３により前方へ反射される。当該反射光は、透光カバー３２を通過して前照灯３０の前方を照明する。
【０１２７】
同様に、上右光源３５５ａ（第三光源の一例）に電気エネルギーが供給されると、上右光源３５５ａは、右上方（前後方向と交差する向きの一例）へ光を出射する。上右光源３５５ａから出射された光は、リフレクタ部材３４の上右反射面３４５により前方へ反射される。当該反射光は、透光カバー３２を通過して前照灯３０の前方を照明する。
【０１２８】
図１４と図１６から明らかなように、右光源３５２ａに電気エネルギーが供給されると、右光源３５２ａは、右方（前後方向と交差する向きの一例）へ光を出射する。右光源３５２ａから出射された光は、リフレクタ部材３４の右反射面３４２により前方（所定の方向の一例）へ反射される。当該反射光は、透光カバー３２を通過して前照灯３０の前方を照明する。
【０１２９】
同様に、下左光源３５４ａ（第三光源の一例）に電気エネルギーが供給されると、下左光源３５４ａは、左下方（前後方向と交差する向きの一例）へ光を出射する。下左光源３５４ａから出射された光は、リフレクタ部材３４の下左反射面３４４により前方へ反射される。当該反射光は、透光カバー３２を通過して前照灯３０の前方を照明する。
【０１３０】
同様に、下右光源３５６ａ（第三光源の一例）に電気エネルギーが供給されると、下右光源３５６ａは、右下方（前後方向と交差する向きの一例）へ光を出射する。下右光源３５６ａから出射された光は、リフレクタ部材３４の下右反射面３４６により前上方へ反射される。当該反射光は、透光カバー３２を通過して前照灯３０の前方を照明する。
【０１３１】
製品組立時における誤差や車両への組付け精度のばらつきに起因して、リフレクタ部材１４の姿勢に所定の仕様からの誤差が生ずることがある。当該誤差に起因して所望の配光パターンが得られない事態を回避するため、前照灯３０は、図２１に示される調整機構３９を備えうる。調整機構３９は、スクリュー３９１、ジョイント３９２、支持板３９３、および姿勢制御板３９４を備えている。
【０１３２】
スクリュー３９１は、スクリューヘッド３９１ａとスクリューシャフト３９１ｂを備えている。スクリュー３９１は、支持板３９３の下部を貫通して延びている。スクリューヘッド３９１ａは、所定の工具により回転操作可能とされている。スクリューシャフト３９１ｂの外周面にはネジ溝が形成されている。
【０１３３】
ジョイント３９２は、姿勢制御板３９４の下部に設けられている。ジョイント３９２は貫通穴を有している。貫通穴の内周面には、図示しないネジ溝が形成されている。スクリューシャフト３９１ｂは、ジョイント３９２の貫通穴内を延びている。スクリューシャフト３９１ｂの外周面に形成されたネジ溝は、ジョイント３９２の貫通穴に形成されたネジ溝と螺合している。
【０１３４】
支持板３９３は、車両における所定の箇所に固定される。姿勢制御板３９４は、リフレクタ部材３４の後部に固定される。姿勢制御板３９４の上部は、一対の連結部３９４ａを介して支持板３９３と連結されている。一対の連結部３９４ａは、ユニバーサルジョイントなどにより構成されており、少なくとも上下方向に変位可能とされている。
【０１３５】
スクリューヘッド３９１ａが所定の工具により回転操作されることにより、スクリューシャフト３９１ｂが操作方向に回転する。スクリューシャフト３９１ｂの回転は、ネジ溝を介してジョイント３９２の前後方向の動きに変換される。これにより、リフレクタ部材３４を当初の姿勢から前傾あるいは後傾させ、所定の仕様からの誤差を解消することができる。このようなリフレクタ部材３４の姿勢の調整は、前照灯３０の出荷前や保守点検時に行なわれる。
【０１３６】
前述のように、本実施形態に係る前照灯３０は、リフレクタ部材３４、左光源３５１ａ、右光源３５２ａ、および放熱部材３６を備えている。放熱部材３６は、中空部３６８を区画する壁部３６７を有している。放熱部材３６は、左光源３５１ａと右光源３５２ａの動作により生じる熱を放散する。リフレクタ部材３４は、放熱部材３６に装着されている。左光源３５１ａと右光源３５２ａは、それぞれ壁部３６７を挟んで中空部３６８と対向する位置に配置されている。左光源３５１ａと右光源３５２ａは、それぞれ前照灯３０の前後方向と交差する向きに光を出射する。リフレクタ部材３４は一体成型品であり、左反射面３４１と右反射面３４２を含んでいる。左反射面３４１は、左光源３５１ａから出射された光を所定の方向に反射する。右反射面３４２は、右光源３５２ａから出射された光を所定の方向に反射する。
【０１３７】
上記の構成によれば、左光源３５１ａから出射された光をリフレクタ部材３４の左反射面３４１で反射し、右光源３５２ａから出射された光をリフレクタ部材３４の右反射面３４２で反射する。比較的レイアウト自由度の高い前照灯３０の前後方向と交差する向きに広がる空間を効率よく利用できるため、光源から前方に出射された光を透光カバーに形成されたレンズ部によって配光制御する特許文献１のような構成と比較すると、前後方向の大型化を抑制しやすい。
【０１３８】
また、左光源３５１ａと右光源３５２ａが表面積の大きい放熱部材３６の中空部３６８と対向する位置に配置されているため、左光源３５１ａと右光源３５２ａの動作により生じる熱を効率的に放散できる。したがって、所望の放熱性能を得るために必要な放熱部材３６の体積を小さくでき、前照灯３０の大型化を抑制できる。
【０１３９】
さらに、左反射面３４１と右反射面３４２は、単一のリフレクタ部材３４の一部であるため、放熱部材３６への装着に係る工数を最小限にできる。
【０１４０】
本実施形態においては、前照灯３０は、左光源３５１ａおよび右光源３５２ａと電気的に接続された複数の導線３８を備えている。複数の導線３８は、放熱部材３６の中空部３６８内を延びている。
【０１４１】
すなわち、放熱性を向上させるために形成された中空部３６８を複数の導線３８の配策スペースとして利用している。これにより、空間の利用効率が向上し、前照灯３０の大型化を抑制できる。
【０１４２】
以上の説明は、前照灯３０が備える他の光源についても同様に適用できる。
【０１４３】
本実施形態においては、透光カバー３２は、リフレクタ部材３４に装着されている。
【０１４４】
このような構成によれば、灯室３３を区画するハウジングとしての機能をリフレクタ部材３４に担わせることができる。リフレクタ部材３４の姿勢を調節する機構は、必要に応じてリフレクタ部材３４の外側に設ければよい。したがって、前照灯３０の大型化をさらに抑制できる。また、透光カバー３２、リフレクタ部材３４、第一封止部材３７１、および第二封止部材３７２によって水密構造が形成されうる。
【０１４５】
本実施形態においては、左光源３５１ａ、右光源３５２ａ、上左光源３５３ａ、下左光源３５４ａ、上右光源３５５ａ、および下右光源３５６ａは、前照灯３０の前後方向と交差する向きに光を出射する。
【０１４６】
このような構成によれば、三つ以上の光源を高い空間利用効率で配置できる。よって、前照灯３０の大型化を抑制できる。
【０１４７】
上記の実施形態は、本開示の理解を容易にするための例示にすぎない。上記の実施形態に係る構成は、本開示の趣旨を逸脱しなければ、適宜に変更・改良されうる。
【０１４８】
第二実施形態においては、放熱部材３６に装着された単一のリフレクタ部材３４が、上左反射面３４１、右反射面３４２、上左反射面３４３、下左反射面３４４、上右反射面３４５、および下右反射面３４６を備えている。しかしながら、リフレクタ部材３４が複数のサブユニットを一体化することにより形成されており、各サブユニットが放熱部材３６の壁部３６７を挟んで中空部３６８に対向する位置に配置された複数の光源から出射された光を反射する複数の反射面を有している構成が採用されうる。
【０１４９】
第二実施形態においては、複数の導線３８が、左コネクタ３５１ｃ、右コネクタ３５２ｃ、上左コネクタ３５３ｃ、下左コネクタ３５４ｃ、上右コネクタ３５５ｃ、および下右コネクタ３５６ｃを介して、それぞれ左光源３５１ａ、右光源３５２ａ、上左光源３５３ａ、下左光源３５４ａ、上右光源３５５ａ、および下右光源３５６ａと電気的に接続されている。しかしながら、複数の導線３８は、接点へのはんだ付けなどにより、コネクタを介することなく各光源と電気的に接続されうる。
【０１５０】
第二実施形態においては、左光源３５１ａ、右光源３５２ａ、上左光源３５３ａ、下左光源３５４ａ、上右光源３５５ａ、および下右光源３５６ａがともに前方を照明するようにリフレクタ部材３４の左反射面３４１、右反射面３４２、上左反射面３４３、下左反射面３４４、上右反射面３４５、および下右反射面３４６が構成されている。しかしながら、各光源が照明する領域は、前照灯の仕様に応じて適宜に定められうる。例えば、リフレクタ部材３４の左反射面３４１と右反射面３４２は、左光源３５１ａと右光源３５２ａが前照灯３０の前方における異なる領域を照明するように構成されうる。
【０１５１】
第二実施形態においては、照明装置の一例として前照灯３０を例示した。しかしながら、本発明は、車両に搭載されるように構成され、複数の光源と放熱部材を備える各種の照明装置に適用可能である。前照灯３０の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【０１５２】
本出願の記載の一部を構成するものとして、２０１６年４月２７日に提出された日本国特許出願２０１６−０８９５５２号、２０１６年４月２７日に提出された日本国特許出願２０１６−０８９５５３号、および２０１６年４月２７日に提出された日本国特許出願２０１６−０８９５５４号の内容が援用される。
【図１】
2017188066.tif 000003
【図２】
2017188066.tif 000004
【図３】
2017188066.tif 000005
【図４】
2017188066.tif 000006
【図５】
2017188066.tif 000007
【図６】
2017188066.tif 000008
【図７】
2017188066.tif 000009
【図８】
2017188066.tif 000010
【図９】
2017188066.tif 000011
【図１０】
2017188066.tif 000012
【図１１】
2017188066.tif 000013
【図１２】
2017188066.tif 000014
【図１３】
2017188066.tif 000015
【図１４】
2017188066.tif 000016
【図１５】
2017188066.tif 000017
【図１６】
2017188066.tif 000018
【図１７】
2017188066.tif 000019
【図１８】
2017188066.tif 000020
【図１９】
2017188066.tif 000021
【図２０】
2017188066.tif 000022
【図２１】
2017188066.tif 000023
【国際調査報告】
2017188066.tif 000024
2017188066.tif 000025
2017188066.tif 000026
2017188066.tif 000027